(57)【要約】  機械検出可能な証印に結合されたセキュリティ装置から構成されるセキュリティ機能が提供される。セキュリティ機能は銀行券と共に使用することができ、セキュリティ機能は、銀行券を認証する働きをする。セキュリティ装置を収穫することは、機械可読効果または機械検出可能な証印によって生成される信号を妨害し、それによって収穫の検出を可能にする。
2020510545.tif 000002
【特許請求の範囲】
【請求項１】
基板と、
セキュリティ装置と、及び
機械可読証印と、
を含むセキュリティ機能であって、
前記セキュリティ装置は、前記セキュリティ装置の少なくとも一部が前記基板の表面上に配置され露出されるように、前記基板と一体化され、
前記機械可読証印は、前記機械可読証印が前記基板の少なくとも一部分および前記セキュリティ装置の少なくとも一部分にわたって延びるように、前記セキュリティ装置に結合されている、ことを特徴とするセキュリティ機能。
【請求項２】
前記基板が、ポリマー基板、紙基板、又はそれらの組み合わせである、請求項１に記載のセキュリティ機能。
【請求項３】
前記セキュリティ装置は、ホログラフィック、マイクロ光学、マイクロテキスト、マイクロミラー、光学的可変性、または機械可読性効果のうちの少なくとも１つを提供する、請求項１に記載のセキュリティ機能。
【請求項４】
前記セキュリティ装置は、パッチ、ストライプ、スレッド、フォイル、又はそれらの組み合わせの形態である、請求項１に記載のセキュリティ機能。
【請求項５】
前記機械可読証印は、検出可能な可視、赤外線（ＩＲ）、紫外線（ＵＶ）、または磁気的な署名を有する証印である、請求項１に記載のセキュリティ機能。
【請求項６】
前記機械可読証印は、少なくとも２つの検出可能な信号を提供する、請求項１に記載のセキュリティ機能。
【請求項７】
前記セキュリティ装置は、窓付きセキュリティ装置または露出されたセキュリティ装置であることによって、前記基板と一体化される、請求項１に記載のセキュリティ機能。
【請求項８】
前記機械可読証印のうちの少なくとも１つは、パターン、テキスト、数字、記号、図、デザイン、又はそれらの組み合わせから選択される、請求項１に記載のセキュリティ機能。
【請求項９】
前記機械可読証印の少なくとも１つは、前記セキュリティ装置の収穫が前記機械可読証印の少なくとも一部を除去し、かつ／または前記機械可読証印の検出可能信号を変化させるように、前記セキュリティ装置に結合される、請求項１に記載のセキュリティ機能。
【請求項１０】
前記機械可読証印は、印刷プロセスのうちの少なくとも１つが凹版、オフセット、スクリーン、または凸版から選択される印刷プロセスによって前記セキュリティ装置に結合される、請求項１に記載のセキュリティ機能。
【請求項１１】
前記セキュリティ装置は焦点合わせ要素の配置と画像アイコン要素の配置とを含み、
前記焦点合わせ要素の配置は前記画像アイコン要素の配置の少なくとも一部を通して前記画像アイコン要素の配置の少なくとも一部が見られるときに合成画像が提供されるように、前記画像アイコン要素の配置に対して配置される、請求項１に記載のセキュリティ機能。
【請求項１２】
セキュリティ機能を生成する方法であって、
基板を提供することと、
セキュリティ装置の少なくとも一部が前記基板の表面上に配置され露出されるように、前記セキュリティ装置を前記基板と一体化することと、及び、
前記基板の少なくとも一部および前記セキュリティ装置の少なくとも一部の上に延在するように、機械可読証印をセキュリティ装置と結合することと、
を含む、方法。
【請求項１３】
前記機械可読証印を前記セキュリティ装置に結合するステップは、印刷プロセスのうちの少なくとも１つが凹版、オフセット、スクリーン、または凸版から選択される印刷プロセスによる、請求項１２に記載の方法。
【請求項１４】
前記セキュリティ装置を前記基板と一体化するステップは、前記セキュリティ装置を窓付きデバイスとして一体化するステップと、前記セキュリティ装置を表面デバイスとして一体化するステップとのうちの少なくとも１つを含む、請求項１２に記載の方法。
【請求項１５】
前記機械可読証印は、検出可能なＩＲ、ＵＶ、または磁気信号を有する着色インクまたは着色されていないインクから形成される、請求項１２に記載の方法。
【請求項１６】
基板と、セキュリティ装置と、機械可読証印とを有するセキュリティ機能であって、
前記セキュリティ装置の少なくとも一部が前記基板の表面上に配置され露出されるように、前記セキュリティ装置が前記基板と一体化され、
前記機械可読証印が前記基板の少なくとも一部および前記セキュリティ装置の少なくとも一部の上に延在するように、前記セキュリティ装置に結合され、
請求項２に記載の方法によって生成される、セキュリティ機能。
【請求項１７】
セキュリティ機能が基板に適用される製品に真正性を提供するためのセキュリティ機能の使用であって、前記セキュリティ機能が請求項１に記載のセキュリティ機能である、セキュリティ機能の使用。
【請求項１８】
請求項１に記載のセキュリティ機能を含む製造製品であって、
高セキュリティ製品または高価値製品から選択される、製造製品。
【請求項１９】
前記高セキュリティ製品が、銀行券、パスポート、スタンプ、識別、証明書、または小切手である、請求項１８に記載の製造製品。
【請求項２０】
（ｉ）基板と、（ｉｉ）前記基板の第１の側に固定されたセキュリティ装置と、（ｉｉｉ）凹版印刷およびオフセット印刷から選択された少なくとも１つの印刷方法によって前記基板の第１の側に適用されるテキスト、数字、パターン、または記号の形態の機械可読証印とを有するセキュリティ機能を含む紙幣であって、
前記機械可読証印は前記基板の一部および前記セキュリティ装置の一部の両方を覆う領域上に印刷されることによって前記セキュリティ装置に結合され、
前記機械可読証印はＩＲまたはＵＶスペクトルのうちの少なくとも１つにおいて観察可能であり、少なくとも２ｍｍの少なくとも１つの寸法を有する機械可読信号を提供し、
前記セキュリティ装置の除去は、収穫事象を検出できるように機械可読信号を変更する、紙幣。
【発明の詳細な説明】
【技術分野】
【０００１】
関連出願
本出願は２０１７年２月１０日に出願された米国仮特許出願第６２／４５７，２３０号の優先権を主張し、その全体が参照により本明細書に組み込まれる。
【０００２】
本発明は一般に、製品を認証または審美する目的で、高価値または高セキュリティ製品に組み込む／組み込むためのセキュリティ機能に関する。特に、本発明は、機械検出可能な証印（ｉｎｄｉｃｉａ）に結合されたセキュリティ装置を含むセキュリティ機能に関する。
【背景技術】
【０００３】
セキュリティ装置は、高価値または高セキュリティ製品の産業において、そのような製品に真正性または審美性を付与するためにしばしば使用される。このような製品に対する消費者およびエンドユーザの親和性、ならびにこのような製品のソースおよび真正性に対する消費者およびエンドユーザの信頼性はしばしば、これらのセキュリティ装置の存在に依存する。それに対応して、このような高価値または高セキュリティ製品の製造業者および流通業者は偽造者が偽造製品を製造しようとするのを阻止するために、これらのセキュリティ装置の高い製造コスト、精巧さ、および複雑さに依存している。
【０００４】
例えば、製造業者は、高価な衣料品、パーソナルケア製品、又はユーティリティ製品を含む消費者製品のような高価な製品にセキュリティ装置を取り付けることが多い。同様に、製造業者はしばしば、銀行券、小切手、切手、証明書、身分証明書、パスポート、および国家セキュリティ機械構成要素などの高セキュリティ製品にセキュリティ装置を取り付ける。
【０００５】
そのようなセキュリティ装置の例はしばしば、糸、パッチ、ストライプ、または箔の形態をとる。これらの形態の各々は例えば、ホログラフィック、マイクロオプティック、マイクロテキスト、光学的可変性、または機械可読効果の任意の組合せを提供するように製造することができる。これらのセキュリティ装置は全て、あるレベルのコスト、精巧さ、及び製造の複雑さを必要とし、これは、偽造者にとって法外なものとなり得る。これらの装置の多くの光学的変動性、マイクロテキスト、及び機械読み取り可能な効果は、偽造製品を製造するために高度な印刷技術に通常依存する偽造者である多くの潜在的な偽造者を阻止することに非常に熟練している。それにもかかわらず、そのようなデバイスは、偽造者に利用可能な他のあまり普遍的でないツールおよびプロセスに依然として影響されやすい。例えば、収穫（ｈａｒｖｅｓｔｉｎｇ）は、依然として、消費者の検査を破る又はパスする品質の偽造品を生産するために偽造者に利用可能な主要な手段の１つである。当業者（ＰＨＯＳＩＴＡ）によって理解されるように、収穫は、セキュリティ装置を改竄すること、またはセキュリティ装置またはその一部を１つの本物の製品から取り外すこと、およびセキュリティ装置の少なくとも一部を別の偽造製品に添付することを含む。収穫の１つの形態は例えば、１つの真正紙幣からセキュリティ装置の一部分を除去することと、除去された部分を等しい価値／金種の偽造紙幣に貼り付けることとを含み、それによって１つから２つの紙幣を生成する紙幣収穫である。あるいは、消費者の収穫において、偽造者は安価な消費者製品からセキュリティ装置を取り外し、それを、通常は同様のセキュリティ装置を有することはるかに高価な消費者製品に貼り付けることができる。このような戦術は、消費者が真正のセキュリティ装置で見つけることを期待するすべての効果を一般に生み出すので、消費者の検査基準の大部分またはすべてに合格するので、かなり説得力がある。これはまた、中央銀行および他の機関が銀行設備機械（ＢＥＭ）に依存して、そのようなセキュリティ装置に組み込まれた特定の秘密効果の有無を検出する銀行券産業においても非常に効果的である。例えば、特定の中央銀行及び他の機関は、選択されたＢＥＭによって検出可能な紫外線（ＵＶ）、赤外線（ＩＲ）又は磁気信号を生成することができるセキュリティ装置の存在に依存することがある。そのような機械検出可能な特徴がセキュリティ装置の層に組み込まれる場合、セキュリティ装置の収穫は機械可読セキュリティ装置を１つの紙幣から収穫し、それを偽造物に添付することによってＢＥＭの検査を無効にすることもでき、次いで、偽造物は、ＢＥＭによって本物紙幣として読み取られる。
【０００６】
偽造防止装置としてのセキュリティ装置の適合性は、セキュリティ装置の厚さプロファイルにも依存する。歴史的に、ＰＨＯＳＩＴＡは、この適合性を満たそうとすると、様々な難しさに遭遇してきた。機械可読コンポーネントは、適切なセキュリティ装置に必要とされる厚さ仕様に違反する材料の層をセキュリティ装置に追加することを必要とすることが多いので、セキュリティ装置に機械可読コンポーネントを追加することは困難であることがしばしば分かっている。また、ＢＥＭはしばしば、ネジ山にテープ止めされたフォイル、または窓付きフォームなどの特定のセキュリティ装置を検出することにも苦労する。
【０００７】
さらに、セキュリティ装置が機械可読効果を備えていない場合、ほとんどのＢＥＭは、セキュリティ装置を読み取る又は検出することができない。したがって、ＢＥＭ分析マスク又はカバーはＢＥＭによる機械可読効果の読み取りを妨害しないように、セキュリティ装置を覆う必要がある。このような場合、偽造セキュリティ装置は、ＢＥＭによって検出されない。さらに、セキュリティ装置が欠けている場合、ＢＥＭは、その欠如を検出することができない。
【０００８】
少なくとも部分的には上記の欠陥のために、従来のセキュリティ装置によって提供される抑止力を提供することができるが、偽造品を生産するために収穫に依存する偽造者を抑止または無効にするセキュリティ機能の必要性が依然として存在した。
【発明の概要】
【発明が解決しようとする課題】
【０００９】
本発明者は驚くべきことに、セキュリティ装置と機械検出可能な証印とを結合する本発明のセキュリティ機能を提供することによって、上記の目的を満たすことができることを見出した。セキュリティ装置を収穫することは、機械可読効果（例えば、信号）を妨害または摩擦し、それによって収穫（ｈａｒｖｅｓｔｉｎｇ）の検出を可能にする。
【課題を解決するための手段】
【００１０】
本明細書では、本発明の態様を、特定の実施形態を参照して説明する。そのような実施形態は過度の実験に頼る必要なしにＰＨＯＳＩＴＡが本発明を作り、使用するのを助け、または可能にする手段として本明細書に提示されるが、そのような例示的な実施形態は特許請求の範囲にそのように組み込まれない限り、特許請求される発明を限定することを意図しない。
【００１１】
特定の態様では、本発明が（ｉ）セキュリティ機能、（ｉｉ）セキュリティ機能を製造する方法、（ｉｉｉ）本明細書に記載の製造方法によって作製されるセキュリティ機能、（ｉｖ）製品に真正性を提供し、収穫の証拠を提供するための本明細書に記載のセキュリティ機能の使用、および（ｖ）本明細書に記載のセキュリティ機能を含む製造製品を提供する。
【００１２】
セキュリティ機能の一実施形態ではセキュリティ機能が基板と、セキュリティ装置と、機械可読証印とを含み、セキュリティ装置はセキュリティ装置の少なくとも一部分が基板の表面上に配置され露出されるように基板と一体化され、機械可読証印は証印が基板の少なくとも一部分およびセキュリティ装置の少なくとも一部分の上に延在するようにセキュリティ装置に結合される。
【００１３】
セキュリティ機能を製造する方法の一実施形態では、該方法が基板を提供するステップと、セキュリティ装置の少なくとも一部分が基板の表面上に配置され露出されるように、セキュリティ装置を基板と一体化するステップと、証印が基板の少なくとも一部分およびセキュリティ装置の少なくとも一部分の上に延在するように、機械可読証印をセキュリティ装置と結合するステップとを含む。
【００１４】
上記の製造方法によって作製されるセキュリティ機能の一実施形態ではセキュリティ機能が、基板と、セキュリティ装置と、セキュリティ装置の少なくとも一部分が基板の表面上に配置され露出されるように基板と一体化された機械可読証印とを含み、機械可読証印は基板の少なくとも一部分およびセキュリティ装置の少なくとも一部分の上に延びるようにセキュリティ装置に結合され、セキュリティ機能はセキュリティ機能を製造する方法によって生成される。
【００１５】
製品に真正性を提供するためのセキュリティ機能の使用の一実施形態では使用がセキュリティ機能を基板に適用することを含み、セキュリティ機能は本明細書で説明するセキュリティ機能である。
【００１６】
製造された製品の一実施形態では製造された製品が本明細書で説明されるセキュリティ機能を含み、セキュリティ機能は本明細書全体にわたって説明される通りであり、製造された製品は高セキュリティ製品または高価値製品から選択される。
【００１７】
本発明のさらなる態様はシート材料、文書、衣料品、および本明細書に記載されるような光学セキュリティ装置を有する様々な他の製造物品などの製造された製品を含み、それらと共に組み込まれる。
【００１８】
本明細書における用語「ａ」または「ａｎ」の使用は特定されない限り、１つ以上を意味するものとして理解されるべきである。
【００１９】
ここで、過度の実験に頼る必要なく、ＰＨＯＳＩＴＡが本発明を作製し、使用することができるように、本発明を本明細書でさらに説明する。
【００２０】
開示される発明の特定の特徴は、添付の図面を参照することによって例示される。
【図面の簡単な説明】
【００２１】
【図１】図１は、機械読み取り可能な印が補償しなければならない振動ゾーンを示す、セキュリティ機能を有する製品の平面図である。
【図２】図２は収穫前のセキュリティ装置を備えたセキュリティ機能を有する製品の平面図である。
【図３】図３は、収穫後のセキュリティ装置を備えたセキュリティ機能を有する製品の平面図である。
【発明を実施するための形態】
【００２２】
本明細書では、このようなセキュリティ機能を製造する方法および前記セキュリティ機能を使用する方法とともに、セキュリティ機能が提供される。本発明者らは驚くべきことに、機械可読性効果をセキュリティ装置と組み合わせて、セキュリティ装置の適切な厚さに関する仕様に違反することなく、高セキュリティ製品または高価値製品に対する偽造防止保護を提供することができることを見出した。さらに、機械の可読性をセキュリティ装置に結合することによって、偽造者が収穫技術に依存する場合には、偽造者を無効にすることができる。
【００２３】
セキュリティ機能は、その上に又はその中にセキュリティ装置が統合される基板を含む。適切な基材は当業者に明らかであり、例えば、綿、綿ブレンド、または木材パルプから作られた金属、ポリマー、または紙を含むものとする。一実施形態では、基板がセキュリティ装置を取り付けることができる少なくとも１つの平坦な表面を有する紙である。
【００２４】
本発明の範囲内で、セキュリティ装置と基板との一体化は、セキュリティ装置を基板に固定する任意のプロセスによるものとすることができる。特に、セキュリティ装置はセキュリティ装置またはその特定の部分の収穫が機械可読証印を損ない、機械可読証印の読み取りがセキュリティ装置の収穫を示すように、基板に固定される。セキュリティ装置を基板に取り付けるこのようなプロセスは、当業者に一般に知られている。一実施形態では、セキュリティ装置が基板、セキュリティ装置、またはその両方を接着剤組成物で処理することによって、基板と一体化される。様々な接着剤を使用することができ、実際には異なる種類の接着剤を基板およびセキュリティ装置に使用することができるが、感熱性、感圧性、放射活性化、または水活性化接着剤を使用することが好ましい。あるいは、セキュリティ装置が、セキュリティ装置が閉鎖および開放窓領域の領域を横切るか又は交替する窓付き基板の場合のように、セキュリティ装置が少なくとも部分的に埋め込まれるように、基板の製造中に基板に一体化されてもよい。オープンウィンドウ領域では、セキュリティ装置が観察のために露出される基板の表面上に現れ、基板の表面上の他のフィーチャと結合することができる。閉じた窓領域またはブリッジ領域では、セキュリティ装置が基材を形成する繊維の下に埋め込まれるので、覆い隠される。したがって、特定の実施形態では、セキュリティ装置がウィンドウ統合によって、または表面統合によって、基板と一体化される。いずれの場合も、セキュリティ装置は、機械可読証印をセキュリティ装置に結合することを可能にする方法で基板と一体化される。
【００２５】
本発明は任意の特定のセキュリティ装置の形態に限定されるものではないが、一体化されたセキュリティ装置はパッチ、ストライプ、スレッド、またはフォイルの形態であることが好ましい。セキュリティストリップ、スレッド、パッチ、またはオーバーレイの形態で使用される場合、セキュリティ装置の全体の厚さは好ましくは約５０ミクロン未満（より好ましくは約４５ミクロン未満、最も好ましくは約１０〜約４０ミクロン）である。ホログラフィック、マイクロオプティック、マイクロテキスト、光学的可変性、または機械可読性効果のうちの少なくとも１つを提供するセキュリティ装置が最も好ましい。一実施形態ではセキュリティ装置が集束要素の配置と画像アイコン要素の配置とを含むマイクロ光学セキュリティ装置であり、セキュリティ装置は画像アイコン要素の配置の少なくとも一部分が集束要素の配置の少なくとも一部分を通して見られるときに合成画像を提供する。本発明者は機械可読証印をセキュリティ装置と結合することが、一部にはそのような装置が紙幣のトポグラフィおよび紙幣のセットの積み重ねに悪影響を及ぼさないように、紙幣に組み込むための厚さ適合性仕様を満たしながら、その合成画像解像度を維持するために、厳密な厚さ仕様を満たさなければならないので、マイクロ光学セキュリティ装置との結合が最も有利であることを見出した。
【００２６】
一実施形態では、微小光学セキュリティ装置が球面または非球面ベースのいずれかを有する六角形または八角形に配置された集束要素を含む。このような実施形態が好ましいが、これらの実施形態は本発明の範囲を限定することを意図するものではない。したがって、集束要素の配置は六角形または八角形以外の多くの他の形状をとることができ、様々な設計のものとすることもできる。同様に、個々の集束素子または集束素子のセットは、様々な表面形状、ベース形状、サイズ、屈折率などをとることができる。本明細書で説明される様々な実施形態では、別のさらなる実施形態ではセキュリティ装置が集束要素またはそのサブセットが埋め込まれたマイクロ光学セキュリティ装置であることも企図される。集束要素を埋め込む適切な手段は国際特許出願公開ＵＳ８，８６７，１３４に記載されており、その全体が参照により本明細書に組み込まれる。他の適切なマイクロオプティックセキュリティ装置は、米国特許第５，０８，９０３号、米国特許第７，３３３，２６８号、米国特許第８，１２０，８５５号、米国特許第７，４６８，８４２号、米国特許第７，７３８，１７５号、および米国特許第８，７７３，７６３号に記載されており、これらは、その全体が本明細書中に参考として援用される。
【００２７】
光学的変動効果、マイクロテキスト効果、またはホログラフィック効果を実証するような、機械読み取り可能な印とは無関係の効果を有するセキュリティ装置も、本発明に適していると考えられ、その全体が参照により本明細書に組み込まれる、特許文献ＷＯ２０１３０２８５３４Ａ１、ＵＳ２０１４０３０００９５Ａ１、ＷＯ２０１３１６３２８７、ＷＯ２００８１５２３８９Ａ２、およびＷＯ２０１００４６７０８Ａ１に記載されているものを含むものとする。
【００２８】
画像アイコン要素の配置は、集束要素の配置を通して見ることができる画像要素を提供する。画像アイコン要素は様々な形状、サイズ、およびデザインをとることができ、その各々は所望の微小光学効果（すなわち、合成画像）を提供するように選択することができ、さらに、画像アイコンの配置と集束要素の配置との間の相互作用は特定の微小光学効果（すなわち、モアレ効果、動的画像移動など）を提供するように設計することができる。好ましい実施形態では、マイクロ光学セキュリティ装置の画像アイコン要素がナノサイズ、マイクロサイズ、または両方の組合せである。本発明者は、ナノサイズおよびマイクロサイズの画像アイコン要素が結合された機械可読特徴と共に特に良好に機能することを見出した。これは、特に、画像アイコン要素が顔料またはメタリック材料などのコントラスト材料で充填された空隙である場合に当てはまる。マイクロサイズの、より好ましくはナノサイズの画像アイコン要素を有することによって、コントラスト材料は空隙を充填するために、ナノサイズまたはマイクロサイズでなければならないので、コントラスト材料は、機械可読印との干渉をより少なくする。マイクロ構造化アプローチ（すなわち、ナノサイズおよび／またはマイクロサイズの画像アイコン要素を含む）から形成されるマイクロ光学セキュリティ装置の例は、国際特許出願公開ＷＯ２０１５／０３４１９０Ａ１および米国特許第７，３３３，２６８号と米国特許第７，４６８，８４２号に提供されている。これらの特許は集合的に、集束要素の基部に近接し、それらの頂点から遠位に配置された層上または層内に形成された空隙、ポスト、または印刷の形態であってもよいアイコン要素を形成するための微細構造化アプローチを記載している。画像アイコン要素がコントラスト材料で充填またはコーティングされる場合、コントラスト材料は硬化または他の方法で固化される。あるいは、空隙間の固体領域を対照材料で処理すること、または空隙の一部および／または固体領域の一部を対照材料で処理することも考えられる。同様に、画像アイコン要素がポストまたはプリントである場合、画像アイコン要素は、集束要素の基部に近接する表面に適用される。上記の場合のいずれにおいても、画像アイコン要素は、画像アイコン要素のいくつかの少なくとも一部（充填されているか、被覆されているか、部分的にまたは完全に被覆されているかにかかわらず）が少なくともいくつかの焦点合わせ要素の焦点に位置するように、焦点合わせ要素に対して配置される。また、本明細書ではマイクロ光学セキュリティ装置の場合、それらは集束要素の１つまたは複数の追加の配置、画像アイコン要素の追加の配置、画像アイコンと集束要素との間の中間層（例えば、光学スペーサ）、または集束要素の上または画像アイコン要素の下に配置された追加の層をさらに含むことも企図される。
【００２９】
本発明では、機械読み取り可能な証印とセキュリティ装置との結合がそのような特徴を有する製品に広範な偽造防止保護を提供する。機械読み取り可能な証印は、その証印が人間の目では一般に検出できない少なくとも１つの検出可能な特徴で埋められている、任意のテキスト、記号、デザイン、パターン番号、またはそれらの組み合わせとして理解されるべきである。一実施形態では、検出可能な特徴の少なくとも１つは機械によって検出可能な特徴的なＩＲ、ＵＶ、蛍光、可視、または磁気信号である。本明細書で使用されるＢＥＭは、機械可読証印によって生成されている信号を検出するために使用することができる任意の機械を含むものとする。好ましくは、このような機械が高速で使用される紙幣仕分け機を含む。ＢＰＳ  Ｘ９、ＢＰＳ  Ｂ１、ＢＰＳ  Ｃ１、Ｎｕｍｅｒｏｎ、ＮｏｔａＴｒａｃｃ、ＮｏｔａＰａｃｋ、ＢＰＳ  Ｍ５、およびＢＰＳ  Ｃ４はすべてＧｉｅｓｅｃｋｅ  ＆  Ｄｅｖｒｉｅｎｔから入手可能であり、特性信号を検出するために使用することができるか、またはそのような目的のために容易に修正することができる種類の機械の例を表す。本明細書で使用されるように、検出可能な信号は標準に対して確実に測定され得るように、印材料の特徴である信号である。一実施形態では、機械可読信号が機械可読証印のすべての測定値が真正性について比較される既知のグラフィカル読取り値を有する。例えば、ＩＲベースの機械可読証印は、証印に使用される特定のＩＲ材料について、対応するＩＲ吸収分光器と比較される。同様のＵＶベースの機械もまた、当業者に知られており、本発明の範囲内での対応する使用のために同様に企図される。検出可能な磁気、ＩＲまたはＵＶ信号を提供するための材料は、当業者に知られている。好ましくは、磁性材料が材料の特徴的な保磁力および／または残留磁気値に依存する。適切な磁性材料は、欧州特許ＥＰ０７７３８７２Ｂ１に記載されている。適切なＩＲ材料は当業者に知られており、例えば、国際特許出願公開ＷＯ２００７１３２２１４および米国特許出願公開ＵＳ２０１０００５９６９１Ａ１に記載されているものを含み、これらは、そのような目的のために参照により本明細書に組み込まれる。適切な蛍光材料は当業者に知られており、例えば、国際特許出願公開ＷＯ２００８０６５０８５に記載されているものを含み、そのような目的のために参照により本明細書に組み込まれる。
【００３０】
好ましい実施形態では機械可読証印がインクの形態で提供され、基材上に印刷され、インクは蛍光、可視、ＩＲ、ＵＶ、磁気、または真珠光沢材料のうちの少なくとも１つの顔料を含む。特定の実施形態では、機械可読証印がインクの形態であるか否かにかかわらず、セキュリティ装置の上または下に直接積層されることによって、基板およびセキュリティ装置に結合される。代替的に、機械読み取り可能な証印は証印がセキュリティ装置内に存在する証印と相補的であるように、基板およびセキュリティ装置に結合されることもまた、本明細書で企図される。したがって、一実施形態では、セキュリティ装置内の部分テキストが機械可読証印によって提供される証印によって完成される。別の実施形態では、機械可読証印が埋め込まれた又は部分的に埋め込まれたセキュリティ装置の上に重なるブリッジ領域において基板上に印刷されることによって、セキュリティ装置に間接的に結合される。このような実施形態では、証印はセキュリティ装置の窓付き領域内の証印にも相補的であることが好ましい。
【００３１】
ＢＥＭ機械のような機械が特性信号を読み取り、検出するのに必要な信号を提供するように、様々な材料が機械可読標識に組み込まれることが考えられる。一実施形態では、機械可読証印が特徴的な機械可読信号プロファイルを有する少なくとも１つのタガントまたは着色材料を含む。カーボンブラックまたは磁性粒子を含有するインクはこれらのインクが基材上の他のインクまたは特徴に対して、人間の目に対して同一の視覚的外観を有するように見えるが、明確な機械可読信号を提供する場合に好ましい。他の好ましい材料には、ＳＩＣＰＡ  ＳＡ、Ａｖ  ｄｅ  Ｆｌｏｒｉｓｓａｎｔ  ４１、１００８  Ｐｒｉｌｙ、Ｓｗｉｔｚｅｒｌａｎｄから入手可能なＳＩＣＰＡ  Ｔａｌｋ(登録商標）またはＮｅｏＭａｇ（登録商標）などの着色インクが含まれる。顔料は透過（％Ｔ＜２５％、７５０〜９５０ｎｍ）で見た場合に近赤外光の７５％を超える光を吸収または反射し、以下の波長：７５０ｎｍ、および９００ｎｍで見ることができる金属含有フタロシアニン顔料などの有機金属顔料であってもよい。適切な材料は、顔料サイズ、レオロジー、粘度または乾燥化学に基づいて、特定の機械のために調整され得る。
【００３２】
別のそのような実施形態では、ＩＲ吸収成分がＢＡＳＦ  Ｃｏｒｐｏｒａｔｉｏｎ、１００  Pａｒｋ  Ａｖｅ、Ｆｌｏｒｈａｍ  Ｐａｒｋ、ＮＪ  ０７９３２によって商品名ＬＵＭＯＧＥＮ−Ｓでインクまたはインクビヒクルの一部として販売されているＩＲ反応性顔料である。この顔料は、電磁スペクトルの可視領域では不可視である。
【００３３】
機械可読証印はセキュリティ機能の複雑さが増すように、セキュリティ装置に結合される。特に、これは、セキュリティ装置の厚さを増加させることなく、セキュリティ装置に秘密または半秘密のセキュリティ効果を付加する。さらに、機械読み取り可能な印をセキュリティ装置に結合することによって、そのような結果として得られる特徴は、本物の製品を偽造するために収穫技術を使用する偽造者となるのであろう偽造者を打ち負かすことになる。
【００３４】
セキュリティ装置を機械可読証印と結合することにより、証印は基板の少なくとも一部の上に、またセキュリティ装置の少なくとも一部の上に配置されることになる。特に、証印は、機械可読証印が人間の目だけでは容易に識別できないように、基板およびセキュリティ装置の上に延びる他の証印と同一の方法で、基板およびセキュリティ装置の上に延びる。
【００３５】
機械読み取り可能な印をセキュリティ装置に結合する際に、セキュリティ装置またはプリントのいずれかを最初に適用することができ、またはその一部を最初に適用することができることが企図される。例えば、一実施形態では、機械可読証印は最初に基板に適用され、次に、セキュリティ装置は証印の上に、または証印の隣に適用される。セキュリティ装置が証印の隣に結合される場合、セキュリティ装置は、セキュリティ装置の上に配置された相補的な証印（機械可読証印の一種）を備えるか、またはセキュリティ装置の層または構成要素の間に交互配置されることが企図される。機械読み取り可能な証印が最初に基板に適用され、セキュリティ装置が証印の上に適用される場合、セキュリティ装置の採取が必然的に検出可能な信号を混乱させ、破損させ、または他の方法で変化させるように、機械可読証印が適用される。例えば、水活性化または熱活性化接着剤などの適切な接着剤を使用して、機械可読証印の上または上にセキュリティ装置を配置する。また、セキュリティ装置は、接着剤の使用の有無にかかわらず、基板の表面に取り付けられてもよい。セキュリティ装置が接着剤なしで固定される場合、これは、例えば、超音波溶接、振動溶接、およびレーザ融着などの熱溶接技術によって達成されてもよい。本発明のデバイスを文書の表面に接着するための接着剤は、ホットメルト接着剤、熱活性化接着剤、水活性化接着剤、感圧接着剤、およびポリマーラミネートフィルムのうちの１つであってもよい。これらの接着剤は好ましくはＵＶ硬化アクリルまたはエポキシなど、本質的に架橋可能であり、接着剤が溶融相にある間に架橋が達成される。
【００３６】
一実施形態では、機械可読証印はセキュリティ装置の一部分だけにわたって延びるようにセキュリティ装置に結合され、それによって、機械可読証印部分と同一に見えるセキュリティ装置の機械読み取り不可能な領域を提供する。機械読み取り不能領域とは、機械読み取り可能な材料を欠いている証印を有する領域を指す。
【００３７】
一実施形態ではセキュリティ装置がセキュリティ装置内に一体化された機械可読要素を含み、それによって、機械可読証印は機械可読要素によって提供される信号に相補的な信号を提供する。したがって、セキュリティ装置を偽造セキュリティ装置と交換することによってセキュリティ装置が収穫される場合、偽造物に機械可読要素が装備されていても、セキュリティ装置からの結合された相補信号および機械可読証印が検出される。そのような実施形態では、機械を通る単一のパスが相補信号を検出するのに適しているように、セキュリティ装置が機械可読証印と位置合わせされることが好ましい。本明細書で使用されるように、相補的信号は、機械可読信号の種として理解されるべきである。
【００３８】
機械可読証印およびセキュリティ装置は両方とも基板の同じ表面側にあることが好ましいが、セキュリティ機械可読証印が基板の第１の側に適用され、セキュリティ装置が基板の反対側に適用されることも企図される。ここで、機械読み取り可能な証印は基板の一部の上に延在し、セキュリティ装置に直接対向する基板の領域に当接するか、またはセキュリティ装置に直接対向する基板の領域の上に延在する。いずれにしても、セキュリティ装置は、セキュリティ装置の上、セキュリティ装置の下に配置されるか、またはセキュリティ装置の構成要素またはインターフェースの間に交互配置される相補的な証印を備える。
【００３９】
別の実施形態では、機械可読証印がセキュリティ装置またはその少なくとも１つの構成要素が基板と一体化された後に適用される。ここで、機械可読証印はセキュリティ装置の収穫が機械可読証印の検出可能信号を混乱させ、破損させ、または他の方法で変化させるように、セキュリティ装置（すなわち、完全な装置またはその構成要素）の上に配置される。
【００４０】
機械読み取り可能な証印を適用するための適切な適用方法は、当業者に明らかであろう。例えば、塗布は、凹版、オフセット、スクリーン、またはレタープレス、好ましくは凹版またはオフセット、より好ましくは凹版などの様々な印刷方法によることができる。微細線は、機械読み取り可能な証印として特に適した、基板上に延在する特徴またはデザインを印刷する。
【００４１】
好ましい実施形態では、機械可読証印が特性信号の機械検出のために適切に可能にされた基板の領域上に提供される。したがって、一実施形態では、機械可読証印が機械可読解像度で提供される。例えば、１つの特定の実施形態では、機械可読証印が１．８ｍｍより大きい、好ましくは２ｍｍより大きい面積を覆う。本発明者らは驚くべきことに、１．８ｍｍ未満では、スレッド、ストリップ、ストライプまたはパッチとして、特にスレッドまたはストリップとして提供されるセキュリティ装置の振動を考慮することが困難になることを見出した。したがって、１．８ｍｍまたは２ｍｍでは、ねじ山位置の一般的な振動が機械可読証印とセキュリティ装置との結合に実質的に影響を及ぼさない。
【００４２】
一実施形態では、セキュリティ機能が製品に認証を提供するために使用され、ここで、セキュリティ機能は本明細書で説明されるようなものであり、セキュリティ機能の収穫が機械可読証印によって提供される機械可読信号を変更させるように、製品に組み込まれる。
【００４３】
一態様では、本発明が製品である。例えば、一実施形態では本発明が本明細書で説明するセキュリティ機能を含む紙幣であり、セキュリティ機能はセキュリティ装置の収穫が検出可能であるように紙幣を認証する。別の実施形態では、製造品が識別文書または国家セキュリティ装置または構成要素である。
【００４４】
本発明は、本発明の例示的な実施形態を実証する特定の図面を参照することによってさらに説明される。
【００４５】
図１は一体化されたセキュリティ機能を有する製品（１０）の平面図を提供し、セキュリティ機能は基板（１１）と、セキュリティ装置（１２）と、機械可読証印（１３）とを含み、機械可読証印（１３）は、基板（１１）の表面上およびセキュリティ装置（１２）の表面上に延在することによってセキュリティ装置（１２）に結合される。セキュリティ装置（１２）は、ここでは機械可読証印（１３）が補償または覆わなければならない振動ゾーンと共に表示される。
【００４６】
一実施形態では図１に示すように、機械可読証印（１３）はセキュリティ装置（１２）および基板（１１）の上に印刷された磁性材料を含むインク組成物である。基板（１１）上の領域およびセキュリティ装置（１２）上の領域は、共に残留磁気および保磁力の２つの信号を提供する。
【００４７】
図２は、セキュリティ装置（１２）が無傷のままで収穫されていない場合の製品（１０）の実施形態を示す。ここで、機械可読信号を検出することができる機械は、真正なセキュリティ装置（１２）の存在を示す正しい信号の存在を検出する。しかし、セキュリティ装置（１２）が収穫された場合、機械は、セキュリティ装置（１２）またはセキュリティ装置（図３に示す）内の欠陥領域（１４）の収穫を示す不正確な信号を検出する。ここで、信号は、機械可読証印（１３）の中断によって変更される。
【００４８】
図２によって表される一実施形態では、機械可読証印（１３）がSICPA Talkインクの特定のＩＲ分光器特性を提供するＳＩＣＰＡトークを含む。
【００４９】
本発明の様々な実施形態を上記で説明したが、それらは限定ではなく、単なる例として提示されたものであることを理解されたい。したがって、本発明の幅および範囲は、例示的な実施形態のいずれによっても限定されるべきではない。
【図１】
2020510545.tif 000003
【図２】
2020510545.tif 000004
【図３】
2020510545.tif 000005
【国際調査報告】
2020510545.tif 000006
2020510545.tif 000007
2020510545.tif 000008
2020510545.tif 000009
2020510545.tif 000010
2020510545.tif 000011
2020510545.tif 000012